(57)【特許請求の範囲】
【請求項１】
親水性官能基含有モノマー及びエポキシ基含有モノマーの共重合体を含み、
前記親水性官能基含有モノマーは、
（１）３−スルホプロピル（メタ）アクリレートアルカリ金属塩、
（２）下記式（ＩＩ）で示されるハロゲン塩含有親水基含有モノマー；
【化１】
0006273186.tif 000014
（式中、Ａは、酸素原子又はＮＨを表す。Ｂは、炭素数１〜４のアルキレン基を表す。Ｒ２１は、水素原子又はメチル基を表す。Ｒ２２、Ｒ２３及びＲ２４は、同一若しくは異なって、炭素数１〜４のアルキル基を表す。Ｘ−はハロゲンイオンを表す。）
、及び、
（３）下記式で示される第４級アンモニウム塩モノマー；
【化２】
0006273186.tif 000015
（式中、Ａは、酸素原子又はＮＨを表す。Ｂ及びＤは、同一又は異なって、炭素数１〜４のアルキレン基を表す。Ｒ４１は、水素原子又はメチル基を表す。Ｒ４２〜Ｒ４３は、同一若しくは異なって、炭素数１〜４のアルキル基を表す。）
からなる群より選択される少なくとも１種である
医療器具用表面処理剤。
【請求項２】
前記共重合が光又は熱によるラジカル重合である請求項１記載の医療器具用表面処理剤。
【請求項３】
医療器具の表面に、熱及び／又は酸を用いて表面処理される請求項１又は２記載の医療器具用表面処理剤。
【請求項４】
請求項１〜３のいずれかに記載の医療器具用表面処理剤を用いて、外表面及び／又は内表面の少なくとも一部が表面処理された医療器具。
【請求項５】
請求項１〜３のいずれかに記載の医療器具用表面処理剤を用いて、外表面及び／又は内表面の少なくとも一部が表面処理されたカテーテル。
【発明の詳細な説明】
【技術分野】
【０００１】
本発明は、表面処理剤、及びカテーテル等の医療用具に関する。
【背景技術】
【０００２】
医療分野などで使用される血管カテーテルや導尿するための尿道カテーテルなどは、血液・体液中の様な水溶液中で血管、消化管、気管、胆管や尿管に挿入して使用されるため、組織を傷つけずに、なめらかに挿入できることが求められている。
【０００３】
このため、カテーテル表面に、低摩擦性の潤滑剤を塗布したり、潤滑層を被覆して使用されているが（特許文献１〜３参照）、潤滑性が十分ではなく、またカテーテル表面に化学的に固定されておらず、管内を移動させている間に剥がれや捲れ等により、潤滑性が低下するという問題点がある。
【先行技術文献】
【特許文献】
【０００４】
【特許文献１】特開２０１１−１８８９０８号公報
【特許文献２】特表２００９−５１８４７９号公報
【特許文献３】特公平７−１００７４４号公報
【発明の概要】
【発明が解決しようとする課題】
【０００５】
本発明は、前記課題を解決し、管内の移動時に剥がれやめくれ等により潤滑性が低下する等の問題点がある樹脂コーティングではなく、化学的に固定化された潤滑表面を与えることが可能な表面処理剤、及び該表面処理剤で少なくとも一部が表面処理されたカテーテル等の医療器具を提供することも目的とする。
【課題を解決するための手段】
【０００６】
本発明は、親水性官能基含有モノマー及びエポキシ基含有モノマーの共重合体を含む医療器具用表面処理剤に関する。
【０００７】
前記親水性官能基は、ポリオキシアルキレン基、金属塩含有親水基、ハロゲン塩含有親水基及び双極性イオン基からなる群より選択される少なくとも１種であることが好ましい。ここで、前記金属塩含有親水基は、アルカリ金属塩含有親水基及びアルカリ土類金属塩含有親水基からなる群より選択される少なくとも１種であることが好ましい。また、前記ハロゲン塩含有親水基は、塩素塩含有親水基であることが好ましい。
【０００８】
前記共重合は、光又は熱によるラジカル重合であることが好ましい。
前記医療器具用表面処理剤は、医療器具の表面に、熱及び／又は酸を用いて表面処理されるものであることが好ましい。
【０００９】
本発明は、前記医療器具用表面処理剤を用いて、外表面及び／又は内表面の少なくとも一部が表面処理された医療器具に関する。
本発明はまた、前記医療器具用表面処理剤を用いて、外表面及び／又は内表面の少なくとも一部が表面処理されたカテーテルに関する。
【発明の効果】
【００１０】
本発明によれば、親水性官能基含有モノマー及びエポキシ基含有モノマーの共重合体を含む医療器具用表面処理剤であるので、化学的に固定化された潤滑表面を与えることができる。従って、該表面処理剤で処理することにより、潤滑性を持つ高分子が表面に固定され、優れた潤滑性、及び潤滑性の繰り返し移動に対する耐久性、すなわち潤滑性の低下がほとんどみられない耐久性が付与されたカテーテル等の医療器具を提供できる。
【図面の簡単な説明】
【００１１】
【図１】血管カテーテルの模式図の一例。
【図２】各種径を持つカテーテルの模式図の一例。
【発明を実施するための形態】
【００１２】
本発明の医療器具用表面処理剤は、親水性官能基含有モノマー及びエポキシ基含有モノマーの共重合体を含むものである。このような共重合体をカテーテル等の医療器具の表面に化学的に固定化することで、潤滑性を付与するだけでなく、該潤滑性の低下抑制性（耐久性）も付与できる。
【００１３】
本発明における共重合体を構成する親水性官能基含有モノマーとしては、特に限定されず、各種親水性基を有するモノマーを使用できる。親水性官能基含有モノマーとしては、潮解性を持つモノマー、すなわち、空気中の水分（水蒸気）を取り込んで自発的に水溶液になる性質を持つモノマーを好適に使用できる。
【００１４】
親水性官能基含有モノマーにおける親水性官能基は、潤滑性やその耐久性の点から、ポリオキシアルキレン基、金属塩含有親水基、ハロゲン塩含有親水基、双極性イオン基等が好ましい。
【００１５】
ポリオキシアルキレン基含有モノマーとしては、下記式（Ｉ）で示される化合物等を好適に使用できる。
【００１６】
【化１】
0006273186.tif 000002
〔式中、ＡＯは、同一又は異なって、オキシアルキレン単位を表す。Ｒ１１は水素原子又はメチル基、ｐは１〜５０の整数、Ｒ１２は水素原子又は炭素数１〜２０のアルキル基を表す。〕
【００１７】
オキシアルキレン単位（ＡＯ）の炭素数は、２〜４が好ましい（オキシエチレン単位、オキシプロピレン単位、オキシテトラメチレン単位等）。異なるオキシアルキレン単位を有する場合、ブロック付加、ランダム付加、交互付加のいずれでもよい。Ｒ１２の炭素数１〜２０のアルキル基としては、メチル基、エチル基、プロピル基等の直鎖、分岐状のものが挙げられる。
【００１８】
ポリオキシアルキレン基含有モノマーの具体例としては、メトキシポリエチレングリコールモノ（メタ）アクリレート、ポリエチレングリコールモノ（メタ）アクリレート、メトキシポリプロピレングリコールモノ（メタ）アクリレート、ポリプロピレングリコールモノ（メタ）アクリレート、エチレングリコール・プロピレングリコール（メタ）アクリレート、ポリ（エチレングリコール・プロピレングリコール）モノ（メタ）アクリレート等が挙げられる。
【００１９】
金属塩含有親水基含有モノマーとしては、アルカリ金属塩含有親水基、アルカリ土類金属塩含有親水基を有するモノマー（アルカリ金属塩含有モノマー、アルカリ土類金属塩含有モノマー）等が好適である。
【００２０】
アルカリ金属塩含有モノマーとしては、アクリル酸アルカリ金属塩（アクリル酸ナトリウム、アクリル酸カリウムなど）；メタクリル酸アルカリ金属塩（メタクリル酸ナトリウム、メタクリル酸カリウムなど）；イタコン酸アルカリ金属塩（イタコン酸ナトリウム、イタコン酸カリウムなど）；３−ビニルプロピオン酸アルカリ金属塩（３−ビニルプロピオン酸ナトリウム、３−ビニルプロピオン酸カリウムなど）；ビニルスルホン酸アルカリ金属塩（ビニルスルホン酸ナトリウム、ビニルスルホン酸カリウムなど）；２−スルホエチル（メタ）アクリレートアルカリ金属塩（２−スルホエチル（メタ）アクリル酸ナトリウム、２−スルホエチル（メタ）アクリル酸カリウムなど）；３−スルホプロピル（メタ）アクリレートアルカリ金属塩（３−スルホプロピル（メタ）アクリル酸ナトリウム、３−スルホプロピル（メタ）アクリル酸カリウムなど）；２−アクリルアミド−２−メチルプロパンスルホン酸アルカリ金属塩（２−アクリルアミド−２−メチルプロパンスルホン酸ナトリウム、２−アクリルアミド−２−メチルプロパンスルホン酸カリウムなど）；スチレンスルホン酸アルカリ金属塩（スチレンスルホン酸ナトリウム、スチレンスルホン酸カリウムなど）；スチレンスルホン酸アルカリ金属塩（スチレンスルホン酸ナトリウム、スチレンスルホン酸カリウムなどが挙げられる。
【００２１】
アルカリ土類金属塩含有モノマーとしては、前記アルカリ金属含有モノマーに対応するアルカリ土類金属含有モノマーが挙げられる。なかでも、（メタ）アクリル酸アルカリ金属塩が好ましく、３−スルホプロピルメタクリル酸カリウムが特に好ましい。
【００２２】
ハロゲン塩含有親水基含有モノマーとしては、塩素塩、臭素塩含有親水基を有するモノマー（塩素塩含有モノマー、臭素塩含有モノマー）等が好適である。なかでも、下記式（ＩＩ）で示される化合物等が好ましい。
【化２】
0006273186.tif 000003
（式中、Ａは、酸素原子又はＮＨを表す。Ｂは、炭素数１〜４のアルキレン基を表す。Ｒ２１は、水素原子又はメチル基を表す。Ｒ２２、Ｒ２３及びＲ２４は、同一若しくは異なって、炭素数１〜４のアルキル基を表す。Ｘ−はハロゲンイオンを表す。）
【００２３】
Ａは酸素原子が好ましい。Ｂとしては、メチレン基、エチレン基、プロピレン基等の直鎖、分岐状アルキレン基が挙げられ、なかでも、メチレン基、エチレン基が好ましい。Ｒ１２〜１４としては、メチル基、エチル基、プロピル基等の直鎖、分岐状アルキル基が挙げられ、なかでも、メチル基、エチル基が好ましい。Ｘ（ハロゲン原子）としては、フッ素、塩素、臭素等が挙げられ、なかでも、塩素が好ましい。
【００２４】
式（ＩＩ）で示されるハロゲン塩含有親水基含有モノマーとしては、２−（メタクロイルオキシ）エチルトリメチルアンモニウム・クロリド（２−（メタクロイルオキシ）エチルトリメチルアミニウム・クロリド）、２−（アクリロイルオキシ）エチルトリメチルアンモニウム・クロリド（２−（アクリロイルオキシ）エチルトリメチルアミニウム・クロリド）、２−（メタクロイルオキシ）エチルジメチルエチルアンモニウム・クロリド（２−（メタクロイルオキシ）エチルジメチルエチルアミニウム・クロリド）、２−（アクリロイルオキシ）エチルジメチルエチルアンモニウム・クロリド（２−（アクリロイルオキシ）エチルジメチルエチルアミニウム・クロリド）等が例示される。
【００２５】
双極性イオン基含有モノマー（双生イオン性基含有化合物：永久陽電荷の中心及び陰電荷の中心を有する化合物）としては、カルボキシベタイン、スルホベタイン、ホスホベタインなど、各種双性イオン性モノマー等が挙げられる。また、下記式（ＩＩＩ）で示される化合物も挙げられ、なかでも、下記式（ＩＶ）で表される化合物が好適である。
【化３】
0006273186.tif 000004
（式中、Ｒ３１は−Ｈ又は−ＣＨ３、Ｘは−Ｏ−、ＮＨ−又はＮ＋−、ｍは１以上の整数、Ｙは双性イオン性基又はハロゲン基（Ｃｌ−、Ｂｒ−、Ｆ−など）を表す。）
【００２６】
式（ＩＩＩ）において、Ｒ３１は−ＣＨ３、Ｘは−Ｏ−、ｍは１〜１０の整数が好ましい。Ｙで表される双性イオン性基において、カチオンとしては、テトラアルキルアンモニウムなどの第四級アンモニウム、アニオンとしては、カルボン酸、スルホン酸、ホスフェートなどが挙げられる。
【００２７】
【化４】
0006273186.tif 000005
（式中、Ｒ３１は−Ｈ又は−ＣＨ３、ｐ及びｑは１以上の整数、Ｙ１及びＹ２は反対の電荷を有するイオン性官能基を表す。）
【００２８】
式（ＩＶ）において、ｐは２以上の整数が好ましく、２〜１０の整数がより好ましい。ｑは１〜１０の整数が好ましく、２〜４の整数がより好ましい。また、好ましいＲ１１は前記と同様である。Ｙ１及びＹ２は、前記カチオン、アニオンと同様である。
【００２９】
前記双性イオン性モノマーの好適な代表例としては、下記式（ＩＶ−１）〜（ＩＶ−４）で表される化合物が挙げられる。
【化５】
0006273186.tif 000006
（式中、Ｒ３１は水素原子又はメチル基、ｐ及びｑは１〜１０の整数を示す。）
【００３０】
【化６】
0006273186.tif 000007
（式中、Ｒ３１は水素原子又はメチル基、ｐ及びｑは１〜１０の整数を示す。）
【００３１】
【化７】
0006273186.tif 000008
（式中、Ｒ３１は水素原子又はメチル基、Ｒ３２は炭素数１〜６の炭化水素基、ｐ及びｑは１〜１０の整数を示す。）
【００３２】
【化８】
0006273186.tif 000009
（式中、Ｒ３１は水素原子又はメチル基、Ｒ３３、Ｒ３４及びＲ３５は、同一若しくは異なって炭素数１又は２の炭化水素基、ｐ及びｑは１〜１０の整数を示す。）
【００３３】
上記式（ＩＶ−１）で表される化合物としては、ジメチル（３−スルホプロピル）（２−（メタ）アクリロイルオキシエチル）アンモニウムベタインなど、式（ＩＶ−２）で表される化合物としては、ジメチル（２−カルボキシエチル）（２−（メタ）アクリロイルオキシエチル）アンモニウムベタインなど、式（ＩＶ−３）で表される化合物としては、ジメチル（３−メトキシホスホプロピル）（２−（メタ）アクリロイルオキシエチル）アンモニウムベタインなど、式（ＩＶ−４）で表される化合物としては、２−（メタ）アクリロイルオキシエチルホスホリルコリンなどが挙げられる。また、双性イオン性モノマーとしては、２−（メタ）アクリロイルオキシエチルカルボキシベタイン、２−（メタ）アクリロイルオキシエチルスルホベタインなども挙げられる。
【００３４】
親水性官能基含有モノマーとしては、下記式で示される第４級アンモニウム塩モノマーも使用可能である。
【化９】
0006273186.tif 000010
（式中、Ａは、酸素原子又はＮＨを表す。Ｂ及びＤは、同一又は異なって、炭素数１〜４のアルキレン基を表す。Ｒ４１は、水素原子又はメチル基を表す。Ｒ４２〜Ｒ４３は、同一若しくは異なって、炭素数１〜４のアルキル基を表す。）
【００３５】
Ａは酸素原子が好ましい。Ｂ、Ｄとしては、メチレン基、エチレン基、プロピレン基等の直鎖、分岐状アルキレン基が挙げられ、なかでも、メチレン基、エチレン基が好ましい。Ｒ４２及びＲ４３としては、前記Ｒ２２〜Ｒ２４と同様のものが挙げられる。
【００３６】
前記第４級アンモニウム塩モノマーとしては、［２−（メタクリロイルオキシ）エチル］ジメチル−（３−スルホプロピル）アンモニウムヒドロキシド等が挙げられる。なお、親水性官能基含有モノマーは、単独又は２種以上を併用して使用できる。
【００３７】
本発明における共重合体を構成するエポキシ基含有モノマーとしては、例えば、分子内にエポキシ基及び重合性炭素−炭素二重結合を有するエポキシ基含有重合性ビニルモノマーなどが挙げられる。
【００３８】
エポキシ基含有重合性ビニルモノマーとしては、例えば、エポキシ基含有（メタ）アクリル酸エステル系モノマー、エポキシ基含有エーテル系モノマーなどが挙げられる。
【００３９】
エポキシ基含有（メタ）アクリル酸エステル系モノマーは、例えば、エポキシ基を含有する（メタ）アクリル酸エステルで、具体的には、（メタ）アクリル酸グリシジル、ヒドロキシブチルアクリレートグリシジルエーテル、（メタ）アクリル酸２−メチルオキシラニルメチルなどが挙げられる。エポキシ基含有エーテル系モノマーとしては、例えば、ビニルグリシジルエーテル、アリルグリシジルエーテル、イソプロペニルグリシジルエーテル、４−ビニルシクロヘキシルグリシジルエーテルなどの直鎖、分岐、環式のエポキシ基含有脂肪族系エーテルモノマー；３−ビニルベンジルグリシジルエーテル、４−ビニルベンジルグリシジルエーテルなどのエポキシ基含有芳香族系エーテルモノマーなどが挙げられる。なかでも、潤滑性やその耐久性の点から、エポキシ基含有（メタ）アクリル酸エステル系モノマーが好ましく、（メタ）アクリル酸グリシジルが特に好ましい。なお、エポキシ基含有モノマーは、単独又は２種以上を併用して使用できる。
【００４０】
親水性官能基含有モノマー及びエポキシ基含有モノマーの共重合体は、例えば、公知のラジカル重合で製造可能である。ここで、共重合の方法は特に限定されず、例えば、光、熱等による公知のラジカル重合が挙げられる。具体的には、光重合開始剤、親水性官能基含有モノマー及びエポキシ基含有モノマーの（液体）若しくはそれらの溶液を入れた透明なガラス・ＰＥＴ・ポリカーボネート等の容器にＵＶ光を照射することにより、ラジカル重合（光ラジカル重合）を進行させることができ、共重合体の調製が可能となる。なお、ラジカル重合性モノマー（液体）、その溶液として、４−メチルフェノールなどの公知の重合禁止剤を含むものも使用できる。
【００４１】
重合開始剤としては、例えば、カルボニル化合物、テトラエチルチウラムジスルフィドなどの有機硫黄化合物、過硫化物、過酸化物、レドックス系化合物、アゾ化合物、ジアゾ化合物、ハロゲン化合物、光還元性色素などが挙げられる。なかでも、カルボニル化合物、過酸化物、アゾ化合物が好ましい。
【００４２】
光によるラジカル重合の開始剤としてのカルボニル化合物としては、ベンゾフェノン及びその誘導体（ベンゾフェノン系化合物）が好ましく、例えば、下記式で表されるベンゾフェノン系化合物を好適に使用できる。
【化１０】
0006273186.tif 000011
【００４３】
式において、Ｒ１〜Ｒ５及びＲ１′〜Ｒ５′は、同一若しくは異なって、水素原子、アルキル基、ハロゲン（フッ素、塩素、臭素、ヨウ素）、水酸基、１〜３級アミノ基、メルカプト基、又は酸素原子、窒素原子、硫黄原子を含んでもよい炭化水素基を表し、隣り合う任意の２つが互いに連結し、それらが結合している炭素原子と共に環構造を形成してもよい。
【００４４】
ベンゾフェノン系化合物の具体例としては、ベンゾフェノン、キサントン、９−フルオレノン、２，４−ジクロロベンゾフェノン、ｏ−ベンゾイル安息香酸メチル、４，４′−ビス（ジメチルアミノ）ベンゾフェノン、４，４′−ビス（ジエチルアミノ）ベンゾフェノンなどが挙げられる。なかでも、良好にポリマーブラシが得られるという点から、ベンゾフェノン、キサントン、９−フルオレノンが特に好ましい。
【００４５】
光によるラジカル重合の開始剤としては、重合速度が速い点、及びゴムなどに吸着及び／又は反応し易い点から、チオキサントン系化合物も好適に使用可能である。例えば、下記式で表される化合物を好適に使用できる。
【化１１】
0006273186.tif 000012
（式中、において、Ｒ６〜Ｒ９及びＲ６′〜Ｒ９′は、同一若しくは異なって、水素原子、ハロゲン原子、アルキル基、環状アルキル基、アリール基、アルケニル基、アルコキシ基、又はアリールオキシ基を表す。）
【００４６】
上記式で示されるチオキサントン系化合物としては、チオキサントン、２−イソプロピルチオキサントン、４−イソプロピルチオキサントン、２，３−ジエチルチオキサントン、２，４−ジエチルチオキサントン、２，４−ジクロロチオキサントン、２−メトキシチオキサントン、１−クロロ−４−プロポキシチオキサントン、２−シクロヘキシルチオキサントン、４−シクロヘキシルチオキサントン、２−ビニルチオキサントン、２，４−ジビニルチオキサントン２，４−ジフェニルチオキサントン、２−ブテニル−４−フェニルチオキサントン、２−メトキシチオキサントン、２−ｐ−オクチルオキシフェニル−４−エチルチオキサントンなどが挙げられる。なかでも、Ｒ１１〜Ｒ１４及びＲ１１′〜Ｒ１４′のうちの１〜２個、特に２個がアルキル基により置換されているものが好ましく、２，４−Ｄｉｅｔｈｙｌｔｈｉｏｘａｎｔｈｏｎｅ（２，４−ジエチルチオキサントン）がより好ましい。
【００４７】
光照射することでモノマーのラジカル重合が進行するが、主に紫外光に発光波長をもつ高圧水銀灯、メタルハライドランプ、ＬＥＤランプなどのＵＶ照射光源を好適に利用できる。照射光量は、重合時間や反応の進行の均一性を考慮して適宜設定すればよい。また、反応容器内や反応筒内における酸素などの活性ガスによる重合阻害を防ぐために、光照射時又は光照射前において、反応容器内、反応筒内や反応液中の酸素を除くことが好ましい。そのため、反応容器内、反応筒内や反応液中に窒素ガスやアルゴンガスなどの不活性ガスを導入して酸素などの活性ガスを反応系外に排出し、反応系内を不活性ガス雰囲気に置換すること、などが適宜行われている。更に、酸素などの反応阻害を防ぐために、ＵＶ照射光源をガラスやプラスチックなどの反応容器と反応液や改質対象物の間に空気層（酸素含有量が１５％以上）が入らない位置に設置する、などの工夫も適宜行われる。
【００４８】
好適な紫外線の波長は、３００〜４００ｎｍである。これにより、良好にポリマーを作製できる。光源としては高圧水銀ランプや、３６５ｎｍの中心波長を持つＬＥＤ、３７５ｎｍの中心波長を持つＬＥＤなどを使用することが出来る。３５５〜３８０ｎｍのＬＥＤ光を照射することがより好ましい。特に、ベンゾフェノンの励起波長３６６ｎｍに近い３６５ｎｍの中心波長を持つＬＥＤなどが効率の点から好ましい。３００ｎｍ以上の光が好ましく、３５５ｎｍ以上の光が更に好ましい。一方、４００ｎｍを超える光では、光重合開始剤が活性されにくく、重合反応が進みにくいため、４００ｎｍ以下の光が好ましい。なお、ＬＥＤ光は波長が狭く、中心波長以外の波長が出ない点で好適であるが、水銀ランプ等でもフィルターを用いて、３００ｎｍ未満の光をカットすれば、ＬＥＤ光と同様の効果を得ることも可能である。
【００４９】
熱によるラジカル重合の開始剤としては、過酸化物、アゾ化合物が好ましい。
過酸化物としては、−Ｏ−Ｏ−の構造を持ち、パーオキシエステル、パーオキシケタール、ジアルキルパーオキサイド、ジアシルパーオキサイド、パーオキシカーボネート等のパーオキサイドがあり、中でも、ベンゾイルパーオキサイド（ＢＰＯ）、ラウロイルパーオキサイド（ＬＰＯ）などの有機過酸化物が好ましい。
【００５０】
アゾ化合物としては、−Ｎ＝Ｎ−の構造を持ち、２，２’−アゾビス（４−メトキシ−２，４−ジメチルヴァレロニトリル、２，２’−アゾビス（２，４−ジメチルヴァレロニトリル、２，２’−アゾビス（イソブチロニトリル）（ＡＩＢＮ）、２，２’−アゾビス（２−メチルブチロロニトリル）、１，１’−アゾビス（シクロヘキサン−１−カルボニトリル）、１−［（１−シアノ−１−メチルエチル）アゾ］フォルムアミド、２，２’−アゾビス［２−（２−イミダゾリン−２−イル）プロパン］ジハイドロクロライド、２，２’−アゾビス［２−（２−イミダゾリン−２−イル）プロパン］ジスルフェートジハイドレート、２，２’−アゾビス［２−（２−イミダゾリン−２−イル）プロパン］、２，２’−アゾビス（２−アミジノプロパン）ジハイドロクロライド、２，２’−アゾビス［Ｎ−（２−カルボキシエチル）−２−メチルプロピオンアミジン］ｎ−ハイドレートなどがあり、中でも、アゾイソブチロニトリル（ＡＩＢＮ）などが好ましい。
【００５１】
本発明の医療器具用表面処理剤は、上記製法等により得られた上記共重合体の他に、効果を阻害しない範囲内で、溶媒等、他の成分を含んでもよい。
【００５２】
医療器具用表面処理剤を適用する被処理物（医療器具）としては、ナイロン、ポリエステル、ウレタン等の熱可塑性エラストマー及びそれらの動的架橋熱可塑性エラストマーが挙げられる。ナイロンでは、ナイロン６、ナイロン６６、ナイロン１１、ナイロン１２などが挙げられる。また動的架橋熱可塑性エラストマーの場合、ハロゲン化ブチルゴムを熱可塑性エラストマー中で動的架橋したものが好ましい。この場合の熱可塑性エラストマーは、ナイロン、ウレタンなどが好ましい。
【００５３】
本発明の医療器具は、医療器具の表面に前記表面処理剤による処理を施すことにより作製でき、例えば、前記表面処理剤を用いて、医療器具の外表面及び／又は内表面の少なくとも一部に表面処理を施すことにより得られるものが挙げられる。
【００５４】
前記表面処理剤の処理方法は、例えば、医療器具の表面に接触させることが可能な方法を採用でき、塗布、噴霧等、浸漬などにより、該処理剤を医療器具の表面に固定化させる方法等が挙げられる。なかでも、表面への固定化という点から、熱及び／又は酸を用いて表面処理を施すことが好ましい。熱による処理としては、例えば、８０〜１３０℃で、１０分〜１０時間熱処理を施すことで実施できる。酸による処理では、固定化等の点から、無機酸、有機酸等を適宜選択すれば良い。
【００５５】
処理箇所は、潤滑性を必要とする箇所に施されていることが好ましく、表面全体に施されていてもよい。本発明の医療器具としては、カテーテルが特に好ましく、これにより、潤滑性を付与するとともに、その耐久性も付与できる。
【実施例】
【００５６】
以下、実施例に基づいて本発明を具体的に説明するが、本発明はこれらのみに限定されるものではない。
【００５７】
（実施例１）
トリメチル−２−メタクロイルオキシエチルアンモニウムクロリドの８０％水溶液（２−（メタクロイルオキシ）エチルトリメチルアンモニウムクロリド）の８０％水溶液）０．６５ｇとグリシジルメタクリレート０．３６ｇを、水５ｍｌとエタノール４ｍｌの混合溶液に加えた。その後、ベンゾフェノンのメタノール溶液（２ｍｇ／１０ｍｌメタノール）１ｍｌを加えたものを２０ｍｌのバイヤル瓶に入れて蓋をし、Ａｒガスを中に入れて、置換を行った。次いで、撹拌しながら、３６５ｎｍのＵＶ−ＬＥＤ（５ｍＷ／ｃｍ２）を照射して重合を行った（照射時間：６時間）。
作製したポリマーをナイロン１２のチューブ表面にコーティングし、１００℃で５時間処理して固定化を行い、表面処理チューブを得た。
【００５８】
（実施例２）
トリメチル−２−メタクロイルオキシエチルアンモニウムクロリドの８０％水溶液０．９１ｇとグリシジルメタクリレート０．２１ｇを、水５ｍｌとエタノール４ｍｌの混合溶液に加えた。その後、ベンゾフェノンのメタノール溶液（２ｍｇ／１０ｍｌメタノール）１ｍｌを加えたものを２０ｍｌのバイヤル瓶に入れて蓋をし、Ａｒガスを中に入れて、置換を行った。次いで、撹拌しながら、３６５ｎｍのＵＶ−ＬＥＤ（５ｍＷ／ｃｍ２）を照射して重合を行った（照射時間：３時間）。
作製したポリマーをナイロン１２のチューブ表面にコーティングし、１００℃で５時間処理して固定化を行い、表面処理チューブを得た。
【００５９】
（実施例３）
トリメチル−２−メタクロイルオキシエチルアンモニウムクロリドの８０％水溶液０．９１ｇを、水５ｍｌとエタノール４ｍｌの混合溶液に加えた。その後、ベンゾフェノンのメタノール溶液（２ｍｇ／１０ｍｌメタノール）１ｍｌを加えたものを２０ｍｌのバイヤル瓶に入れて蓋をし、Ａｒガスを中に入れて、置換を行った。次いで、撹拌しながら、３６５ｎｍのＵＶ−ＬＥＤ（５ｍＷ／ｃｍ２）を照射して重合を行った（照射時間：２．５時間）。
その後、グリシジルメタクリレート０．２１ｇを水１．５ｍｌとエタノール１ｍｌに溶かしたものを加えて、更に１時間ＵＶ−ＬＥＤ（５ｍＷ／ｃｍ２）を照射した。
作製したポリマーをナイロン１２のチューブ表面にコーティングし、１００℃で５時間処理して固定化を行い、表面処理チューブを得た。
【００６０】
（実施例４）
３−（メタクリロイルオキシ）プロパンスルホン酸カリウム０．６２ｇとグリシジルメタクリレート０．３６ｇを、水５ｍｌとエタノール４ｍｌの混合溶液に加えた。その後、ベンゾフェノンのメタノール溶液（２ｍｇ／１０ｍｌメタノール）１ｍｌを加えたものを２０ｍｌのバイヤル瓶に入れて、蓋をし、Ａｒガスを中に入れて、置換を行った。次いで、撹拌しながら、３６５ｎｍのＵＶ−ＬＥＤ（５ｍＷ／ｃｍ２）を照射して重合を行った（照射時間：３時間）。
作製したポリマーをナイロン１２のチューブ表面にコーティングし、１００℃で５時間処理して固定化を行い、表面処理チューブを得た。
【００６１】
（実施例５）
［２−（メタクリロイルオキシ）エチル］ジメチル−（３−スルホプロピル）アンモニウムヒドロキシド０．７１ｇとグリシジルメタクリレート０．３６ｇを、水５ｍｌとエタノール４ｍｌの混合溶液に加えた。その後、ベンゾフェノンのメタノール溶液（２ｍｇ／１０ｍｌメタノール）１ｍｌを加えたものを２０ｍｌのバイヤル瓶に入れて、蓋をし、Ａｒガスを中に入れて、置換を行った。次いで、撹拌しながら、３６５ｎｍのＵＶ−ＬＥＤ（５ｍＷ／ｃｍ２）を照射して重合を行った（照射時間：３時間）。
作製したポリマーをナイロン１２のチューブ表面にコーティングし、１００℃で５時間処理して固定化を行い、表面処理チューブを得た。
【００６２】
（実施例６）
トリメチル−２−メタクロイルオキシエチルアンモニウムクロリドを５．８ｇとグリシジルメタクリレート１．０７ｇをエタノール２５ｍｌに溶かした。その後、ＡＩＢＮ０．０５ｇを加えたものを２０ｍｌのバイヤル瓶に入れて蓋をし、Ａｒガスを中に入れて、置換を行った。次いで、６０℃の水浴につけ、撹拌しながら４時間重合を行った。
作製したポリマーをナイロン１２のチューブ表面にコーティングし、１００℃で５時間処理して固定化を行い、表面処理チューブを得た。
【００６３】
（実施例７）
トリメチル−２−メタクロイルオキシエチルアンモニウムクロリドを５．８ｇとグリシジルメタクリレート１．０７ｇをエタノール２５ｍｌに溶かした。その後、過酸化ベンゾイル（ＢＰＯ）０．０７ｇを加えたものを２０ｍｌのバイヤル瓶に入れて蓋をし、Ａｒガスを中に入れて、置換を行った。次いで、６０℃の水浴につけ、撹拌しながら４時間重合を行った。
作製したポリマーをナイロン１２のチューブ表面にコーティングし、１００℃で５時間処理して固定化を行い、表面処理チューブを得た。
【００６４】
（比較例１）
ナイロン１２からなるチューブそのものを使用した。
【００６５】
（比較例２）
ナイロン１２からなるチューブの表面に、メチルビニルエーテル−無水マレイン酸（ＩＰＳ社製ＧＡＮＴＲＥＺ−ＡＮ１６）の５％メタノール溶液でコーティングしたものを使用した。なお、血管カテーテルによく使用される材料がナイロン１２であり、表面の潤滑性を出すための標準的な潤滑剤がメチルビニルエーテル−無水マレイン酸である。
【００６６】
実施例、比較例で作製した表面処理チューブを以下の方法で評価した。
（潤滑性）
チューブ表面に水を付け、表面の滑り性について、人の指による感応評価を行った。滑り性が良いものを５点、滑り性が悪く滑らないものを１点とする基準において、１０人が感応評価を行い、その平均値を算出した。
【００６７】
（潤滑性の耐久性）
チューブ表面に水を付けた後、チューブを指で挟んで移動させるというサイクルを１００回繰り返した後、再度、前記潤滑性の評価に従って１０人が感応評価を行い、その平均値及び初期潤滑性からの低下率を算出した。
【００６８】
【表１】
0006273186.tif 000013
【００６９】
表１の結果から、実施例のナイロン表面は、潤滑性が高く、耐久性も良好で、かつ潤滑性の低下が非常に少なかった。一方、比較例１は、潤滑性が非常に悪く、汎用品の比較例２は、初期の潤滑性はある程度高いものの、耐久性が低く、潤滑性の低下が非常に大きかった。
【００７０】
従って、親水性官能基含有モノマー及びエポキシ基含有モノマーの共重合体を含む表面処理剤を用いて、カテーテル等の表面にポリマーを固定化することで、十分な潤滑性を付与できると同時に、その耐久性も付与することが可能であることが明らかとなった。
【図１】
0006273186.tif 000016
【図２】
0006273186.tif 000017